(57)【要約】【課題】設置面に作用する荷重を軽減させ遮熱に優れる遮熱兼熱交換装置の提供。【解決手段】遮熱兼熱交換装置２は、屋根１４の遮熱と熱交換とをする。この遮熱兼熱交換装置２は、屋根１４に並べられて取り付けられる複数のユニット４と、屋根１４との間に空間Ｓ１を形成した状態でユニット４を屋根１４に取り付ける取付具６とを備えている。ユニット４は、熱交換をする流体が流れるユニット本体１６と、隣合う他のユニット４との間の屋根１４を覆う庇１８と、を備えている。好ましくは、庇１８が他のユニット４と上下方向において空間Ｓ３を形成して重なっている。庇１８と他のユニット４との間の空間Ｓ３と、ユニット４と屋根１４との間に形成された空間Ｓ１とは、連通している。【選択図】図１
2020070993.tif 000002
【特許請求の範囲】
【請求項１】
設置面の遮熱と熱交換とをする遮熱兼熱交換装置であって、
前記設置面に並べられて取り付けられる複数のユニットと、
前記設置面との間に空間を形成した状態で前記ユニットを前記設置面に取り付ける取付具と、を備えており、
前記ユニットが、熱交換をする流体が流れるユニット本体と、隣合う他のユニットとの間の前記設置面を覆う庇と、を備える、遮熱兼熱交換装置。
【請求項２】
前記庇が前記他のユニットと上下方向において空間を形成して重なっており、
前記庇と前記他のユニットとの間の空間と、前記ユニットと前記設置面との間に形成された空間とが、連通している、請求項１に記載の遮熱兼熱交換装置。
【請求項３】
前記ユニットから排出される前記流体が流入する貯留槽と、前記貯留槽から前記ユニットに前記流体を供給するポンプと、を備える請求項１又は２に記載の遮熱兼熱交換装置。
【請求項４】
複数のユニットのそれぞれに供給する前記流体の量を調整する流量調整器を備えている、請求項１から３のいずれかに記載の遮熱兼熱交換装置。
【請求項５】
前記ユニットの流路が上流から下流に向かって蛇行している、請求項１から４のいずれかに記載の遮熱兼熱交換装置。
【請求項６】
前記ユニットが、流体注入口が形成された注入端部と、流体が流れる流路を形成する流路片と、流体排出口が形成された排出端部と、を備えており、
前記注入端部が前記流路片に取り付けられる注入接続部を備えており、
前記排出端部が前記流路片に取り付けられる排出接続部を備えている、請求項１から５のいずれかに記載の遮熱兼熱交換装置。
【請求項７】
前記ユニットが、流体注入口が形成された注入端部と、流体が流れる流路を形成する複数の流路片と、流体排出口が形成された排出端部と、を備えており、
前記注入端部が前記流路片に取り付けられる注入接続部を備えており、
前記排出端部が前記流路片に取り付けられる排出接続部を備えており、
それぞれの流路片が、その上流側に位置する他の流路片又は前記注入端部に取り付けられる流入接続部と、その下流側に位置する更に他の流路片又は前記排出雌部に取り付けられる流出接続部と、を備えている、請求項１から５のいずれかに記載の遮熱兼熱交換装置。
【発明の詳細な説明】
【技術分野】
【０００１】
本発明は、遮熱兼熱交換装置に関する。
【背景技術】
【０００２】
特許文献１（特開２０１２−４２１８７）には、太陽熱温水器が開示されている。この太陽熱温水器の集熱器及び貯湯槽は発砲スチロールで形成されている。この太陽熱温水器では、集熱器及び貯湯槽の軽量化が図られている。この太陽熱温水器は、屋根に作用する荷重を軽減している。
【先行技術文献】
【特許文献】
【０００３】
【特許文献１】特開２０１２−４２１８７公報
【発明の概要】
【発明が解決しようとする課題】
【０００４】
この集熱器及び貯湯槽には、集熱のため、水が流れ貯められる。この水が流れ貯められることで、屋根には大きな荷重が作用する。この荷重は、屋根の一部に、局所的に作用する。この屋根は、この局所的に作用する荷重に耐えうる強度が要求される。この局所的に作用する荷重に対して、屋根の補強が必要とされることがある。
【０００５】
また、この集熱器及び貯湯槽は、屋根の一部に設置される。この屋根において、集熱器が位置しない部分は、太陽光によって暖められる。この集熱器では、屋根の遮熱効果は期待できない。一方で、遮熱のために屋根全体を覆う集熱器は、非常に大型化してしまう。この様に大型化された集熱器は、運搬及び設置作業を非常に困難にする。また、屋根の全体を覆う集熱器では、種々の設置面形状に合わせて、その形状を変更する必要が生じる。
【０００６】
本発明の目的は、設置面に作用する荷重を軽減させると共に遮熱に優れる遮熱兼熱交換装置の提供にある。
【課題を解決するための手段】
【０００７】
本発明に係る遮熱兼熱交換装置は、設置面の遮熱と熱交換とをする。この遮熱兼熱交換装置は、前記設置面に並べられて取り付けられる複数のユニットと、前記設置面との間に空間を形成した状態で前記ユニットを前記設置面に取り付ける取付具と、を備えている。前記ユニットは、熱交換をする流体が流れるユニット本体と、隣合う他のユニットとの間の前記設置面を覆う庇と、を備えている。
【０００８】
好ましくは、前記庇は、前記他のユニットと上下方向において空間を形成して重なっている。前記庇と前記他のユニットとの間の空間と、前記ユニットと前記設置面との間に形成された空間とは、連通している。
【０００９】
好ましくは、この遮熱兼熱交換装置は、前記ユニットから排出される前記流体が流入する貯留槽と、前記貯留槽から前記ユニットに前記流体を供給するポンプと、を備えている。
【００１０】
好ましくは、この遮熱兼熱交換装置は、複数のユニットのそれぞれに供給する前記流体の量を調整する流量調整器を備えている。
【００１１】
好ましくは、この遮熱兼熱交換装置では、前記ユニットの流路は上流から下流に向かって蛇行している。
【００１２】
好ましくは、前記ユニットは、流体注入口が形成された注入端部と、流体が流れる流路を形成する流路片と、流体排出口が形成された排出端部と、を備えている。前記注入端部は、前記流路片に取り付けられる注入接続部を備えている。前記排出端部は、前記流路片に取り付けられる排出接続部を備えている。
【００１３】
好ましくは、前記ユニットは、流体注入口が形成された注入端部と、流体が流れる流路を形成する複数の流路片と、流体排出口が形成された排出端部と、を備えている。前記注入端部は、前記流路片に取り付けられる注入接続部を備えている。前記排出端部は、前記流路片に取り付けられる排出接続部を備えている。それぞれの流路片は、その上流側に位置する他の流路片又は前記注入端部に取り付けられる流入接続部と、その下流側に位置する更に他の流路片又は前記排出雌部に取り付けられる流出接続部と、を備えている。
【発明の効果】
【００１４】
本発明に係る遮熱兼熱交換装置では、複数のユニットが設置面に並べられて取り付けられる。これにより、設置面に局所的な荷重が作用することが抑制されている。また、それぞれのユニットは、取付具によって、設置面との間に空間を形成した状態で取り付けられる。これにより、ユニットと設置面との間で遮熱されている。更に、庇は、隣合うユニットと間の設置面を覆う。これにより、複数のユニットからなっているにも関わらず、広範囲に隙間なく設置面を遮熱しうる。
【図面の簡単な説明】
【００１５】
【図１】図１は、本発明の一実施形態に係る遮熱兼熱交換装置が示された概念図である。
【図２】図２は、図１の遮熱兼熱交換装置の断面図である。
【図３】図３は、図２の線分III−IIIに沿った分解断面図である。
【図４】図４は、図３の線分IV−IVに沿った断面図である。
【図５】図５は、本発明の他の実施形態に係る遮熱兼熱交換装置が示された断面図である。
【発明を実施するための形態】
【００１６】
以下、適宜図面が参照されつつ、好ましい実施形態に基づいて本発明が詳細に説明される。
【００１７】
図１に示された遮熱兼熱交換装置２は、複数のユニット４、複数の取付具６、貯留槽８、ポンプユニット１０及び流量調整器１２を備えている。図１の矢印Ｚは、遮熱兼熱交換装置２の上下方向上向きを表している。
【００１８】
複数のユニット４は、設置面の一例としての、建物の屋根１４の表面に並べられている。この複数のユニット４は、屋根１４に代えて、建屋の屋上、地面、水面に浮かぶ設置板上等に並べられてもよい。ここでいう設置面は、複数のユニット４を並べて設置可能であり、遮熱兼熱交換装置２が遮熱する機能と熱交換する機能とを発揮できるものであればよい。この屋根１４では、流量調整器１２側から貯留槽８側に向かって下向きに緩やかに傾斜している。この傾斜角度は、例えば２°である。この傾斜角度は、一般的に５°以下である。
【００１９】
それぞれのユニット４は、その内部を流体が流れるユニット本体１６と、ユニット本体１６から隣合う他のユニット４に向かって延びる庇１８と、を備えている。ここでは、流体として水を例に説明がされる。しかし、この流体は熱交換可能なものであればよい。それぞれのユニット本体１６は、互いに間隔を開けて並べられている。このユニット本体１６の間隔は、庇１８によって覆われている。
【００２０】
取付具６は、上下方向において、ユニット本体１６と屋根１４との間に位置している。それぞれのユニット本体１６は、複数の取付具６によって、屋根１４に設置されている。この取付具６は、ユニット本体１６と屋根１４との間に空間Ｓ１を形成した状態でユニット本体１６を屋根１４に取り付けている。この取付具６は、その上端部をユニット本体１６に固定され、その下端部を屋根１４に例えばネジ止めされて固定されている。この取付具６は、空間Ｓ１を形成して屋根１４に取り付けられればよい。この取付具６は、ネジ止め以外の方法で取り付けられてもよく、取付具６が屋根１４に載置されるだけでもよい。
【００２１】
貯留槽８は、流体としての水を一時的に蓄える機能を備えている。貯留槽８は、複数のユニット４と例えば配管で接続されている。それぞれのユニット４から流出した水は、貯留槽８に蓄えられる。
【００２２】
ポンプユニット１０は、ポンプタンク１０ａ及びポンプ１０ｂを備えている。ポンプタンク１０ａは、例えば配管で貯留槽８に接続されている。貯留槽８に蓄えられた水はポンプタンク１０ａに流入する。ポンプ１０ｂは、ポンプタンク１０ａに取り付けられている。ポンプ１０ｂは、例えば配管で流量調整器１２に接続されている。ポンプ１０ｂは、ポンプタンク１０ａから流量調整器１２に水を送る機能を備えている。このポンプタンク１０ａは、貯留槽８と一体で形成されてもよい。
【００２３】
流量調整器１２は、ぞれぞれのユニット４に、例えば配管で接続されている。図示されないが、流量調整器１２は、複数の流量調整弁を備えている。それぞれの流量調整弁は、ユニット４に接続される配管を流れる水の量を制御する機能を備えている。この流量調整器１２は、それぞれのユニット４に供給される水の量を制御する機能を備えている。この流量調整器１２は、それぞれのユニット４に供給される水の量が均等化される様に、水の量を制御している。
【００２４】
図２には、ユニット４の断面が示されている。ユニット４のユニット本体１６の内側に、水が流れる流路２０が形成されている。図２に示される様に、この遮熱兼熱交換装置２では、ユニット本体１６から延びる庇１８は、隣合うユニット本体１６の上方まで延びている。前述の様に、ユニット本体１６と屋根１４との間には、空間Ｓ１が形成されている。隣合うユニット本体１６の間には空間Ｓ２が形成されている。上下方向において、庇１８の先端部１８ａと隣合うユニット本体１６との間には、空間Ｓ３が形成されている。この空間Ｓ１と空間Ｓ２と空間Ｓ３とが連通している。
【００２５】
図３では、ユニット４を分解した断面が取付具６と共に示されている。図３に示される様に、このユニット４は、注入端部２２、２つの流路片２４及び排出端部２６を備えている。
【００２６】
注入端部２２は、流体注入口２２ａと、注入接続部としての注入雄部２２ｂと、を備えている。流体注入口２２ａに、流量調整器１２から延びる配管が接続される。注入雄部２２ｂによって、注入端部２２は、２つの流路片２４のうちの一方の流路片２４に取り付けられる。
【００２７】
一方の流路片２４は、流路本体２４ａと、流入接続部としての流路雌部２４ｂと、流出接続部としての流路雄部２４ｃと、流路庇部２４ｄと、複数の仕切壁２４ｅと、を備えている。流路雌部２４ｂは流路本体２４ａの一端から延びている。流路雄部２４ｃは流路本体２４ａの他端から延びている。流路雌部２４ｂには、勘合孔２４ｆが形成されている。流路本体２４ａ及び流路雄部２４ｃには、勘合孔２４ｆから流路雄部２４ｃの端まで貫通する貫通孔２４ｇが形成されている。流路庇部２４ｄは、流路本体２４ａと流路雌部２４ｂとから延びている。
【００２８】
他方の流路片２４は、一方の流路片２４と同じ形状を備えている。一方の流路片２４の流路雄部２４ｃと他方の流路片２４の流路雌部２４ｂとによって、一方の流路片２４と他方の流路片２４とが接続される。
【００２９】
排出端部２６は、流体排出口２６ａと、排出接続部としての排出雌部２６ｂと、排出庇部２６ｃとを備えている。流体排出口２６ａに、貯留槽８に延びる配管が接続される。排出雌部２６ｂによって、排出端部２６は、２つの流路片２４のうちの他方の流路片２４に取り付けられる。
【００３０】
図３及び図４に示される様に、この流路本体２４ａは、底板２４ｈ、一対の側板２４ｊ及び天板２４ｋを備えている。図３には底板２４ｈ及び天板２４ｋが示されている。天板２４ｋは、底板２４ｈに上下方向において対向して、底板２４ｈに沿って延在する。図４には一対の側板２４ｊが示されている。一対の側板２４ｊは、底板２４ｈの幅方向端部と天板２４ｋの幅方向端部とに接続している。この底板２４ｈ、一対の側板２４ｊ及び天板２４ｋに囲われて、貫通孔２４ｇが成形されている。
【００３１】
この底板２４ｈ、一対の側板２４ｊ及び天板２４ｋの材料は特に限定されないが、軽量化及び製造コストの観点から、樹脂からなることが好ましい。この天板２４ｋは水を目視確認できる様に、透明なガラスや透明な樹脂からなることが好ましい。底板２４ｈ及び一対の側板２４ｊは、熱を吸収し易い様に、黒色の耐熱性樹脂からなることが好ましい。また、内部の水を暖める観点から、底板２４ｈ及び一対の側板２４ｊの内壁に、アルミ等の反射板が張り付けられてもよい。
【００３２】
図３に示される様に、遮熱兼熱交換装置２では、注入端部２２、２つの流路片２４及び排出端部２６が接続されて、ユニット４を形成している。一方の流路片２４の流路庇部２４ｄと、他方の流路片２４の流路庇部２４ｄと、排出庇部２６ｃとが、庇１８を形成している。注入端部２２の内部と、一方の流路片２４の貫通孔２４ｇと、他方の流路片２４の貫通孔２４ｇとが、流路２０を形成している。
【００３３】
図４に示される様に、それぞれの仕切壁２４ｅは、貫通孔２４ｇの内壁から貫通孔２４ｇを部分的に仕切っている。複数の仕切壁２４ｅによって、貫通孔２４ｇには、流路雌部２４ｂから流路雄部２４ｃまで蛇行して延びる流路２０の一部が形成されている。一方の流路片２４の複数の仕切壁２４ｅと、他方の流路片２４の複数の仕切壁２４ｅとによって、図３の流路２０の全体が蛇行している。
【００３４】
この遮熱兼熱交換装置２では、流量調整器１２から各ユニット４に、水が送られる。流量調整器１２は、それぞれのユニット４に送る水の量を均一化している。ユニット４の流路２０に沿って水が蛇行して流れる。この流路２０を流れることで、水は温められる。暖められた水は貯留槽８に貯められる。この水は、更に貯留槽８からポンプユニット１０に送られ、ポンプユニット１０から流量調整器１２に送られる。この遮熱兼熱交換装置２では、この様にして、水が循環させられる。所定の温度以上にされた水は、貯留槽８又はポンプユニット１０から、温水を利用する設備に送られる。この遮熱兼熱交換装置２には、水が補充される。
【００３５】
図１に示される様に、この遮熱兼熱交換装置２は、屋根１４に並べられる複数のユニット４を備えている。複数のユニット４を並べることで、種々の大きさで種々の形状の設置面に設置できる。この遮熱兼熱交換装置２は、種々の大きさの種々の形状に対応して、屋根１４を覆うことできる。
【００３６】
このユニット４は、そのユニット本体１６と隣合う他のユニット４との間の屋根１４を覆う庇１８を備えている。この庇１８は、隣合うユニット本体１６の間を覆っている。この庇１８がユニット本体１６の間に露出する屋根１４を覆う。この遮熱兼熱交換装置２は、複数のユニット４に分割されているにも関わらず、ユニット４の間に屋根１４を露出することなく、屋根１４を遮熱できる。
【００３７】
この遮熱兼熱交換装置２は、屋根１４との間に空間Ｓ１を形成した状態でユニット４を屋根１４に取り付ける取付具６を備えている。これにより、ユニット４と屋根１４との間で熱の伝導が低減されている。ユニット４と屋根１４と間に空気が流れることで、屋根１４の温度上昇が一層抑制される。
【００３８】
更に、この遮熱兼熱交換装置２では、庇１８は隣合う他のユニット４と上下方向において空間Ｓ３を形成して重なっている。庇１８と隣合う他のユニット４との間の空間Ｓ３と、この庇１８を備えるユニット４と屋根１４との間に形成された空間Ｓ１とは連通している。これにより、ユニット４と屋根１４と間の空気は、庇１８と隣合う他のユニット４との間を通って流出し易い。また、ユニット４と屋根１４と間に、空気が流入し易い。この遮熱兼熱交換装置２では、ユニット４と屋根１４と間に、一層空気が流れ易くなっている。
【００３９】
ユニット４は熱交換をする流体が流れるユニット本体１６を備えている。このユニット本体１６は、この流体によってユニット４の温度上昇を抑制する。これにより、この遮熱兼熱交換装置２は、遮熱性に一層優れている。
【００４０】
この遮熱兼熱交換装置２では、複数のユニット４を、種々の大きさで種々の形状の設置面に合わせた形状に配置できる。これにより、一体の遮熱兼熱交換装置を設置する場合に比べて、この遮熱兼熱交換装置２は運搬及び設置作業が容易にできる。また、屋根１４の一部に局所的に、荷重が負荷されることが抑制できる。
【００４１】
この遮熱兼熱交換装置２は、ユニット４から排出される水が流入する貯留槽８と、貯留槽８からユニット４に水を供給するポンプ１０と、を備えている。これにより、ユニット４を流れる水は循環される。ユニット４に水が貯留されないので、屋根１４に作用する荷重が低減される。軽量化されているので、この遮熱兼熱交換装置２は、屋根１４に金属製の枠や架台を設置する必要がない。これにより、この遮熱兼熱交換装置２は、一層軽量化されている。この軽量化の観点から、ユニット４が屋根１４に設置され、貯留槽８及びポンプユニット１０が別途設けられる地上又は屋根１４以外に支持される架台に設置されることが好ましい。この観点から、流量調整器１２も別途設けられる架台又は地上に設置されることが好ましい。また、この遮熱兼熱交換装置２では、水が流れることで、軽量化を達成しつつ、効率的に熱交換ができる。
【００４２】
この遮熱兼熱交換装置２は、複数のユニット４のそれぞれに供給する水の量を調整する流量調整器１２を備えている。この流量調整器１２は、それぞれのユニット４を流れる水の量を均一化しうる。これにより、効率的に熱交換ができる。また、流量調整器１２は、屋根１４に作用する荷重の軽減及び分散に寄与する。
【００４３】
この遮熱兼熱交換装置２では、仕切壁２４ｅによって、ユニット４の流路２０が上流から下流に向かって蛇行している。蛇行することで、流路２０の全体に水が流れる。蛇行することで、熱交換する水が流れる距離が長くなっている。これにより、効率的に熱交換ができる。ここでは、仕切壁２４ｅを用いたが、溝によって水を蛇行させてもよい。
【００４４】
ユニット４は、流体注入口２２ａが形成された注入端部２２と、水が流れる流路２０を形成する流路片２４と、流体排出口２６ａが形成された排出端部２６と、を備えている。注入端部２２は、流路片２４に取り付けられる注入雄部２２ｂを備えている。排出端部２６は、流路片２４に取り付けられる排出雌部２６ｂを備えている。このユニット４は、流路片２４に注入端部２２と排出端部２６とを取り付けることで、形成されている。この流路片２４の長さを変更することで、種々の長さのユニット４を形成される。屋根１４の形状に合わせて、このユニット４の長さは、現場においても、容易に変更しうる。
【００４５】
この遮熱兼熱交換装置２では、２つの流路片２４を備えている。２つの流路片２４の他方の流路片２４の流路雌部２４ｂに一方の流路片２４の流路雄部２４ｃが取り付けられる。このユニット４は、２つの流路片２４を組み合わせることで、その全長を更に長くできる。２つ以上の複数の流路片２４を組み合わせることで、現地において長尺のユニット４を容易に形成しうる。このユニット４は、更に種々の長さのユニット４を形成される。複数の流路片２４として運搬することで、長尺のユニット４を長さの制約を受けることなく、容易に運搬できる。
【００４６】
この遮熱兼熱交換装置２では、長さが異なる複数の流路片２４を備えることで、更に、種々の長さのユニット４を容易に形成しうる。例えば、０．５ｍ、１ｍ、２ｍ及び３ｍの流路片２４を準備することで、現場において、流路片２４を切断等の加工をすることなく、容易に種々の長さのユニット４を形成しうる。
【００４７】
ここでは、遮熱兼熱交換装置２は、集熱装置として使用されているが、放熱装置として使用されてもよい。例えば、遮熱兼熱交換装置２を、工場の屋根１４に設置する。工場内で発生する廃熱が、遮熱兼熱交換装置２によって、放熱されてもよい。この遮熱兼熱交換装置２は、融雪装置として使用されてもよい。
【００４８】
ここでは、熱交換に用いる流体として、水を例に説明がされたが、これに限られない。この流体は液体に限らず気体であってもよい。この流体として蒸気等の媒体が用いられてもよい。
【００４９】
更には、遮熱兼熱交換装置２では、熱交換の媒体として、不凍液が循環されてもよい。気温が低い屋外等の雰囲気で放熱して冷やされた不凍液を循環させて、遮熱兼熱交換装置２は、冷却装置の熱交換装置として使用されてもよい。例えば、氷点下の雰囲気で冷やされた不凍液を循環させて、遮熱兼熱交換装置２は、冷凍装置、冷蔵装置等の熱交換装置として使用されてもよい。
【００５０】
図示されないが、遮熱兼熱交換装置２に、フィルム型太陽光発電シートが設置されてもよい。例えば、流路片２４の天板２４ｋ及び流路庇部２４ｄに、フィルム型太陽光発電シートが設置されうる。これにより、遮熱兼熱交換装置２は、熱交換装置として機能すると共に、太陽光発電装置として機能しうる。
【００５１】
図５には、本発明に係る他の遮熱兼熱交換装置３２が示されている。ここでは、前述の遮熱兼熱交換装置２と異なる構成について説明がされる。遮熱兼熱交換装置２と同様の構成については、その説明が省略される。また、ここでは、遮熱兼熱交換装置２と同様の構成については、同じ符号を用いて説明がされる。
【００５２】
この遮熱兼熱交換装置３２は、複数のユニット３４及び複数の取付具３６を備えている。図示されないが、遮熱兼熱交換装置３２は、更に、貯留槽８、ポンプユニット１０及び流量調整器１２を備えている。複数のユニット３４は、建物の折板屋根３８に並べられている。図５に示される様に、この折板屋根３８は、台形状に繰り返し凹凸形状が形成されている。この折板屋根３８は、建屋の鉄骨４０に固定されている。
【００５３】
それぞれユニット３４は、ユニット本体４２、庇４４及び鍔部４６を備えている。ユニット本体４２は、その内部を流体が流れる流路４８が形成されている。庇４４は、ユニット本体４２から一方に隣合う他のユニット３４に向かって延びている。鍔部４６は、他方に隣合う更に他のユニット３４に向かって延びている。
【００５４】
それぞれの取付具３６は、支柱としてのボルト５０と、支持板５２と、カラー５４と、カラー５６と、留め具としてナット５８とを備えている。ボルト５０は、鉄骨４０に固定されている。このボルト５０は、鉄骨４０から上方に延びている。支持板５２がボルト５０に固定されている。この支持板５２に、折板屋根３８が支持されている。この折板屋根３８から上方に延びるボルト５０に、円筒形状のカラー５４が通されている。このカラー５４に、鍔部４６が支持されている。この鍔部４６から上方にのびるボルト５０に、円筒形状のカラー５６が通されている。このカラー５６に庇４４が支持されている。ナット５８がボルト５０と螺合している。折板屋根３８、カラー５４、鍔部４６、カラー５６、庇４４は、支持板５２とナット５８との挟時されて、固定されている。
【００５５】
この遮熱兼熱交換装置３２では、それぞれのユニット３４で、庇４４は、上下方向において、隣合う他のユニット３４の鍔部４６に重なっている。カラー５６によって、上下方向において、庇４４と鍔部４６との間に空間が形成されている。カラー５４によって、上下方向において、鍔部４６と折板屋根３８との間に空間が形成されている。
【００５６】
この遮熱兼熱交換装置３２では、この取付具３６によって、ユニット３４は、折板屋根３８との間に空間を形成した状態で、折板屋根３８に取り付けられている。ユニット３４のユニット本体４２及び鍔部４６と折板屋根３８との間の空間と、ユニット３４の庇４４と隣合うユニット３４の鍔部４６との間の空間と、連通している。
【００５７】
このユニット３４では、ユニット本体４２及び鍔部４６とは、折板屋根３８の波形の凹凸形状に対応した形状にされている。複数のユニット３４が折板屋根３８の波形の凹凸形状に合わせて設置されている。この遮熱兼熱交換装置３２は、折板屋根３８に調和し、美観に優れている。
【００５８】
ここでは、説明は省略されるが、このユニット３４は、ユニット４と同様に、注入端部、１又は複数の流路片、排出端部を備えている。これにより、折板屋根３８に対応して、ユニット３４の長さは調整可能である。
【産業上の利用可能性】
【００５９】
以上説明された遮熱兼熱交換装置は、遮熱及び熱交換をする装置として、広く適用されうる。
【符号の説明】
【００６０】
２、３２・・・遮熱兼熱交換装置
４、３４・・・ユニット
６・・・取付具
８・・・貯留槽
１０・・・ポンプユニット
１０ｂ・・・ポンプ
１２・・・流量調整器
１４・・・屋根
１６、４２・・・ユニット本体
１８、４４・・・庇
２０、４８・・・流路
２２・・・注入端部
２２ａ・・・流体注入口
２４・・・流路片
２４ｂ・・・流路雌部
２４ｃ・・・流路雄部
２６・・・排出端部
２６ａ・・・流体排出口
３８・・・折板屋根
【図１】
2020070993.tif 000003
【図２】
2020070993.tif 000004
【図３】
2020070993.tif 000005
【図４】
2020070993.tif 000006
【図５】
2020070993.tif 000007